(57)【要約】      （修正有）【課題】物品が収納される収納空間内を容易に清掃することができるとともに、収納空間内を清潔に保つことができる収納ボックスを提供する。【解決手段】収納ボックスは、物品が収納される収納空間が形成された本体部１０と、この本体部１０に取り付けられた収納空間の入口１１１を開閉する蓋部２０と、前記収納空間の入口１１１を開閉する蓋部２０の動作に連動し、清掃空間１２内の空気を収納空間内へ押し出すことで収納空間内を清掃する清掃手段３０と、を備える。【選択図】図２
2012240450.tif 000002
【特許請求の範囲】
【請求項１】
物品が収納される収納空間が形成された本体部と、
この本体部に取り付けられた前記収納空間の入口を開閉する蓋部と、
前記収納空間の入口を開閉する前記蓋部の動作に連動して前記収納空間内を清掃する清掃手段と、
を備えることを特徴とする収納ボックス。
【請求項２】
前記本体部には、連通孔を介して前記収納空間と連なる空間である清掃空間が形成されており、
前記清掃手段は、前記収納空間の入口を開放する方向に動作する前記蓋部に連動して前記連通孔に近づく方向に前記清掃空間内を移動し、前記清掃空間内の空気を前記連通孔を通じて前記収納空間内へ押し出す押出部材を有することを特徴とする請求項１に記載の収納ボックス。
【請求項３】
前記本体部には、第一の連通孔および第二の連通孔を介して前記収納空間と連なる空間である清掃空間が形成されており、
前記清掃手段は、前記収納空間の入口を開放する方向に動作する前記蓋部に連動して前記第一の連通孔に近づく方向かつ前記第二の連通孔から離れる方向に前記清掃空間内を移動し、前記清掃空間内の空気を前記第一の連通孔を通じて前記収納空間内へ押し出すとともに前記収納空間内の空気を前記第二の連通孔を通じて前記清掃空間内に引き込む押出引込部材を有することを特徴とする請求項１または請求項２に記載の収納ボックス。
【請求項４】
前記清掃手段は、前記収納空間の入口を開放および閉鎖する前記蓋部に連動して、前記収納空間を構成する壁面上を摺り動く刷毛部材を備えることを特徴とする請求項１から請求項３のいずれか一項に記載の収納ボックス。
【発明の詳細な説明】
【技術分野】
【０００１】
本発明は、車両などに好適に用いられる収納ボックスに関する。
【背景技術】
【０００２】
特許文献１には、車両に設けられた収納ボックス（コンソールボックス）が記載されている。この種の収納ボックスは、物品を収納する収納空間が形成された本体部および収納空間の入口（開口）を開閉する蓋部を備える。
【先行技術文献】
【特許文献】
【０００３】
【特許文献１】特開２００８−１５５７６６号公報
【発明の概要】
【発明が解決しようとする課題】
【０００４】
上記のような収納ボックスは、収納空間内に埃が溜まりやすく、収納空間内を清潔に保つためには清掃を頻繁に行わなければならないという問題があった。特に、車両に設けられる収納ボックスは、一般的にはそれほど収納空間が大きくないため、その狭い収納空間内を清掃するのは面倒である。
【０００５】
上記実情に鑑みて、本発明が解決しようとする課題は、物品が収納される収納空間内を容易に清掃することができるとともに、収納空間内を清潔に保つことができる収納ボックスを提供することにある。
【課題を解決するための手段】
【０００６】
上記課題を解決するために本発明にかかる収納ボックスは、物品が収納される収納空間が形成された本体部と、この本体部に取り付けられた前記収納空間の入口を開閉する蓋部と、前記収納空間の入口を開閉する前記蓋部の動作に連動して前記収納空間内を清掃する清掃手段と、を備えることを要旨とする。
【０００７】
上記構成は、収納空間の入口を開閉する蓋部を動作させれば、自動的に清掃手段によって収納空間内が清掃されるため、収納空間内の清掃が容易である。また、蓋部の開閉操作の度に収納空間内が清掃されるため、収納空間内を常に清潔に保つことができる。
【０００８】
また、上記の場合において、前記本体部には、連通孔を介して前記収納空間と連なる空間である清掃空間が形成されており、前記清掃手段は、前記収納空間の入口を開放する方向に動作する前記蓋部に連動して前記連通孔に近づく方向に前記清掃空間内を移動し、前記清掃空間内の空気を前記連通孔を通じて前記収納空間内へ押し出す押出部材を有していればよい。
【０００９】
上記構成によれば、蓋部が収納空間の入口を開放する際、清掃手段の押出部材によって清掃空間内の空気が収納空間に押し出される。したがって、その押し出された空気により収納空間内に溜まった埃などが吹き飛ばされて除去される。このように、収納空間の入口を開放する方向に蓋部が操作される度に、収納空間内の埃などが風圧により除去される構成であるため、収納空間内を隅々まで清掃すること（清潔に保つこと）ができる。
【００１０】
また、上記の場合において、前記本体部には、第一の連通孔および第二の連通孔を介して前記収納空間と連なる空間である清掃空間が形成されており、前記清掃手段は、前記収納空間の入口を開放する方向に動作する前記蓋部に連動して前記第一の連通孔に近づく方向かつ前記第二の連通孔から離れる方向に前記清掃空間内を移動し、前記清掃空間内の空気を前記第一の連通孔を通じて前記収納空間内へ押し出すとともに前記収納空間内の空気を前記第二の連通孔を通じて前記清掃空間内に引き込む押出引込部材を有していればよい。
【００１１】
上記構成によれば、蓋部が収納空間の入口を開放する際、清掃手段の押出引込部材によって清掃空間内の空気が第一の連通孔より収納空間に押し出される。これと同時に、押出引込部材によって収納空間内の空気が第二の連通孔より清掃空間内に引き込まれる。つまり、第一の連通孔より収納空間内に溜まった埃などが吹き飛ばされると同時に、その吹き飛ばされた埃を第二の連通孔より引き込む（吸い込む）構成である。このように、収納空間の入口を開放する方向に蓋部が操作される度に、収納空間内の埃などが風圧により吹き飛ばされると同時に清掃空間に吸い込まれる構成であるため、収納空間内を隅々まで清掃すること（清潔に保つこと）ができる。
【００１２】
また、上記の場合において、前記清掃手段は、前記収納空間の入口を開放および閉鎖する前記蓋部に連動して、前記収納空間を構成する壁面上を摺り動く刷毛部材を備えていればよい。
【００１３】
上記構成によれば、蓋部が収納空間の入口を開放する際、清掃手段の刷毛部材によって収納空間の壁面上に溜まった埃などが掃き出されるため、収納空間内の清掃が容易である。また、清掃空間内を常に清潔に保つことができる。
【発明の効果】
【００１４】
本発明にかかる収納ボックスによれば、収納空間の入口を開閉する蓋部を動作させれば、自動的に清掃手段によって収納空間内が清掃されるため、収納空間内の清掃が容易である。また、蓋部の開閉操作の度に収納空間内が清掃されるため、収納空間内を常に清潔に保つことができる。
【図面の簡単な説明】
【００１５】
【図１】本発明の実施形態にかかる収納ボックスの外観斜視図である。
【図２】本発明の第一の実施形態にかかる収納ボックスの断面（図１におけるＡ−Ａ線断面に相当する）斜視図である。
【図３】図３（ａ）は本発明の第一の実施形態にかかる収納ボックスの断面（図１におけるＡ−Ａ線断面に相当する）図であり、図３（ｂ）は（図３（ａ）に示した状態から）収納空間の入口を開放する方向に蓋部を移動させた状態を示した断面図である。
【図４】本発明の第一の実施形態にかかる収納ボックスが備える蓋部材およびこれと一体的に形成された押出部材（清掃手段）の外観斜視図である。
【図５】図５（ａ）は本発明の第二の実施形態にかかる収納ボックスの断面（図１におけるＡ−Ａ線断面に相当する）図であり、図５（ｂ）は（図５（ａ）に示した状態から）収納空間の入口を開放する方向に蓋部を移動させた状態を示した断面図である。
【図６】図５（ａ）におけるＢ−Ｂ線断面図である。
【図７】本発明の第三の実施形態にかかる収納ボックスの断面（図１におけるＡ−Ａ線断面に相当する）図である。
【発明を実施するための形態】
【００１６】
以下、本発明の実施形態について図面を参照しつつ詳細に説明する。なお、以下の説明における上下方向（高さ方向）とは図２、図５、図６における上下方向をいい、前後方向とは図２、図５（ａ）、図６における左右方向をいい、幅方向とは上下方向および前後方向に直交する方向をいう。本実施形態にかかる収納ボックス（以下の第一〜第三の実施形態にかかる収納ボックス１，２，３）は、車両用シートのアームレストと一体的に構成されたものである。以下、各実施形態について詳細に説明する。
【００１７】
第一の実施形態にかかる収納ボックス１は、物品が収納される収納空間１１が形成された本体部１０と、この本体部１０に取り付けられた蓋部２０と、本体部１０に形成された収納空間１１を清掃する清掃手段３０と、を備える。
【００１８】
本体部１０は、アームレストとしての肘掛け機能を発揮する部分である。この本体部１０の上部には、所定の大きさの収納空間１１が形成されている。この収納空間１１は、上方に向かって開口している。つまり、この開口が、物品を出し入れする際の入口１１１（出し入れ口）となる。本実施形態では、収納空間１１を構成する底面１１２における前側の一部は、前方に向かって段々と上方に傾斜している。なお、収納空間１１を構成する底面１１２の全部が、前方に向かって段々と上方に傾斜する形状としてもよい。収納空間１１を構成する幅方向両側面（内壁面）には、蓋部２０を案内する第一のガイドレール１１３が形成されている。本実施形態では、第一のガイドレール１１３は、幅方向外側に向かって窪んだ前後方向に延びる溝である。
【００１９】
また、本体部１０における収納空間１１の下側には、清掃空間１２が形成されている。清掃空間１２は、前後方向および幅方向に広がるような直方体形状の空間である。この清掃空間１２と上記収納空間１１とは、連通孔１３を介して連なる。連通孔１３は、側方視（断面）略「Ｓ」字を描くような形状に屈曲して清掃空間１２の前面から収納空間１１の後面に繋がった孔である。なお、この連通孔１３の収納空間１１側の開口（以下、通気口１１４と称する）は、例えば網目状（メッシュ）のカバーで覆われている。このカバーは、収納空間１１内に収納された物品が通気口１１４から連通孔１３に入り込まないようにするためのものである。
【００２０】
清掃空間１２内には、詳細を後述する清掃手段３０の押出部材３１が設けられている。清掃空間１２を構成する幅方向両側面（内壁面）には、この押出部材３１を案内する第二のガイドレール１２１が形成されている。本実施形態では、第二のガイドレール１２１は、幅方向外側に向かって窪んだ前後方向に延びる溝である。
【００２１】
さらに、本体部１０の後側には、収納空間１１と清掃空間１２とを繋ぐ蓋ガイド孔１４が形成されている。蓋ガイド孔１４は、側方視（断面）略「Ｕ」字を描くような形状に屈曲して収納空間１１の後面から清掃空間１２の後面に繋がった孔である。
【００２２】
蓋部２０は、その先端（収納空間１１に近い側を先端と称し、その反対側を基端と称する。以下同じ）寄りの一部が本体部１０に形成された収納空間１１の入口１１１を開閉する部材であり、容易に屈曲変形するような形状、材質で形成されている。本実施形態では、蓋部２０には、その内側に一定間隔で幅方向に延びる切れ込み２１が形成されている。この切れ込み２１により蓋部２０は容易に屈曲変形する。この蓋部２０の一部は、その幅方向両側部分が本体部１０に形成された第一のガイドレール１１３に係合されている。蓋部２０における第一のガイドレール１１３に係合された部分は、第一のガイドレール１１３に案内されて前後方向にスライド自在である。なお、蓋部２０の先端側の外側には、蓋部２０をスライドさせるための持ち手２２が形成されている。さらに、蓋部２０における第一のガイドレール１１３に係合された部分よりも基端寄りの一部は、本体部１０に形成された蓋ガイド孔１４に挿通されている。つまり、側方視（断面）略「Ｕ」字を描くような形状に屈曲した蓋ガイド孔１４に沿って、蓋部２０も屈曲している。そして、蓋部２０における蓋ガイド孔１４に挿通された部分よりも基端寄りの部分は、清掃空間１２内に位置する。すなわち、蓋部２０の基端は、常に清掃空間１２内に位置する。この蓋部２０の基端には、清掃手段３０を構成する押出部材３１が形成されている。すなわち、蓋部２０と押出部材３１は一体的に形成されている。
【００２３】
清掃手段３０は、蓋部２０と一体的に形成された押出部材３１を有する。押出部材３１は、清掃空間１２内を前後方向に移動（スライド）する略矩形状の板状の部材である。図４から分かるように、押出部材３１の幅方向両側には、外側に向かって突出したスライド突起３１１が形成されている。このスライド突起３１１が清掃空間１２を構成する幅方向両側面に形成された第二のガイドレール１２１に係合されている。つまり、押出部材３１は、第二のガイドレール１２１に案内されて前後方向に移動する。また、押出部材３１の周囲には、シール部３１２が形成されている。シール部３１２は例えばゴムなどの弾性部材で形成されている。清掃空間１２内に設けられた押出部材３１は、このシール部３１２が弾性変形した状態で清掃空間１２に面する内壁と密着する。これにより、清掃空間１２は、押出部材３１よりも前側の空間（連通孔１３が繋がっている空間）と押出部材３１よりも後側の空間とに分割されている。つまり、押出部材３１が前方に移動すれば前側の空間が小さくなり、その小さくなった分後側の空間が大きくなる。一方、押出部材３１が後方に移動すれば前側の空間が大きくなり、その大きくなった分後側の空間が小さくなる。なお、この前側の空間と後側の空間は、押出部材３１（シール部３１２）によって完全に遮られている（一方の空間の空気が他方の空間に流れ込まない状態）とよい。少なくとも、押出部材３１が移動したときに小さくなる空間の圧力が一時的にある程度高まるように（空気が連通孔１３へ押し出されるように）両空間が押出部材３１によって遮られている必要がある。
【００２４】
以上の構成を備える本実施形態にかかる収納ボックス１の作用は次の通りである。収納空間１１の入口１１１を開放する方向（蓋部２０の先端が後方に移動する方向）に蓋部２０を移動させると、図３に示すように、その蓋部２０と一体的に構成されている押出部材３１は連通孔１３に近づく方向（前方）に移動する。つまり、押出部材３１は、清掃空間１２の前側の空間を小さくする方向に移動する。そうすると、前側の空間内の圧力が一時的に高まり、前側の空間内の空気は連通孔１３に押し出される。清掃空間１２は、連通孔１３を介して収納空間１１と繋がっているため、この押し出された空気は収納空間１１の後方に形成された通気口１１４から噴出する（図３（ｂ）参照）。この噴出した空気により、収納空間１１内に溜まっていた埃などが吹き飛ばされる。上述したように、収納空間１１構成する底面１１２の少なくとも一部は、前方に向かって段々と上方に傾斜しているため、噴出された空気は上昇気流となり、埃などを収納空間１１の入口１１１から収納空間１１外に吹き飛ばす。これにより、収納空間１１内が清掃される。
【００２５】
収納空間１１の入口１１１を開放した状態から閉鎖する方向（蓋部２０の先端が前方に移動する方向）に蓋部２０を移動させると、その蓋部２０と一体的に構成されている押出部材３１は連通孔１３から離れる方向（後方）に移動する。その際、清掃空間１２の前側の空間の圧力が一時的に低下し（負圧となり）、収納空間１１に残っている埃が清掃空間１２内に引き込まれることもある。したがって、本体部１０には、清掃空間１２内に引き込まれた埃を除去するための構成が設けられていることが好ましい。例えば、本体部１０の底面１１２や側面に開閉自在の扉を設けておけばよい。ただし、この扉は、閉状態において清掃空間１２を密閉する必要があるため、扉の周囲にはゴムなどの弾性部材などで形成されたシール部３１２を形成する必要がある。
【００２６】
このように、本実施形態にかかる収納ボックス１によれば、収納空間１１の入口１１１を開放する方向に蓋部２０が操作されると、通気口１１４より噴出する空気（風圧）によって収納空間１１内の埃などが除去されるため、収納空間１１内の隅々まで清掃される。また、収納空間１１の入口１１１を開放する方向に蓋部２０が操作される度にこのような収納空間１１の清掃が行われる構成であるため、収納空間１１内を清潔に保つことができる。
【００２７】
次に、第二の実施形態にかかる収納ボックス２について説明する。第二の実施形態にかかる収納ボックス２も、第一の実施形態にかかる収納ボックス１と同様に、物品が収納される収納空間４１が形成された本体部４０と、この本体部４０に取り付けられた蓋部５０と、本体部４０に形成された収納空間４１を清掃する清掃手段６０と、を備える。
【００２８】
本体部４０は、アームレストとしての肘掛け機能を発揮する部分である。この本体部４０の上部には、所定の大きさの収納空間４１が形成されている。この収納空間４１は、上方に向かって開口している。つまり、この開口が、物品を出し入れする際の入口４１１（出し入れ口）となる。収納空間４１を構成する幅方向両側面（内壁面）には、蓋部５０を案内する第一のガイドレール４１２が形成されている。本実施形態では、第一のガイドレール４１２は、幅方向外側に向かって窪んだ前後方向に延びる溝である。
【００２９】
また、本体部４０における収納空間４１の下側には、清掃空間４２が形成されている。清掃空間４２は、前後方向および幅方向に広がるような直方体形状の空間である。この清掃空間４２と上記収納空間４１とは、第一の連通孔４３１および第二の連通孔４３２を介して連なる。第一の連通孔４３１は、側方視（断面）略「Ｕ」字を描くような形状に屈曲して清掃空間４２の前面から収納空間４１の前面に繋がった孔である。第二の連通孔４３２は、側方視（断面）略「Ｕ」字を描くような形状に屈曲して清掃空間４２の後面から収納空間４１の後面に繋がった孔である。なお、これら第一の連通孔４３１および第二の連通孔４３２の収納空間４１側の開口（以下、第一の通気口４１３および第二の通気口４１４と称する）は、例えば網目状（メッシュ）のカバーで覆われている。このカバーは、収納空間４１内に収納された物品が通気口から第一の連通孔４３１および第二の連通孔４３２に入り込まないようにするためのものである。
【００３０】
清掃空間４２内には、詳細を後述する清掃手段６０の押出引込部材６１が設けられている。清掃空間４２を構成する幅方向両側面（内壁面）には、この押出引込部材６１を案内する第二のガイドレール４２１が形成されている。本実施形態では、第二のガイドレール４２１は、幅方向外側に向かって窪んだ前後方向に延びる溝である。
【００３１】
さらに、本体部４０の後側には、収納空間４１と清掃空間４２とを繋ぐ蓋ガイド孔４４が形成されている。蓋ガイド孔４４は、側方視（断面）略「Ｕ」字を描くような形状に屈曲して収納空間４１の後面から清掃空間４２の後面に繋がっている。
【００３２】
蓋部５０は、その先端（収納空間４１に近い側を先端と称し、その反対側を基端と称する。以下同じ）寄りの一部が本体部４０に形成された収納空間４１の入口４１１を開閉する部材であり、第一の実施形態と同様に容易に屈曲変形するような形状、材質で形成されている。本実施形態では、蓋部５０には、その内側に一定間隔で幅方向に延びる切れ込み５１が形成されている。この切れ込み５１により蓋部５０は容易に屈曲変形する。この蓋部５０の一部は、その幅方向両側部分が本体部４０に形成された第一のガイドレール４１２に係合されている。蓋部５０における第一のガイドレール４１２に係合された部分は、第一のガイドレール４１２に案内されて前後方向にスライド自在である。なお、蓋部５０の先端側の外側には、蓋部５０をスライドさせるための持ち手５２が形成されている。さらに、蓋部５０における第一のガイドレール４１２に係合された部分よりも基端寄りの一部は、本体部４０に形成された蓋ガイド孔４４に挿通されている。つまり、側方視（断面）略「Ｕ」字を描くような形状に屈曲した蓋ガイド孔４４に沿って、蓋部５０も屈曲している。そして、蓋部５０における蓋ガイド孔４４に挿通された部分よりも基端寄りの部分は、清掃空間４２内に位置する。すなわち、蓋部５０の基端は、常に清掃空間４２内に位置する。この蓋部５０の基端には、清掃手段６０を構成する押出引込部材６１が形成されている。すなわち、蓋部５０と押出引込部材６１は一体的に形成されている。
【００３３】
清掃手段６０は、蓋部５０と一体的に形成された押出引込部材６１を有する。押出引込部材６１は、清掃空間４２内を前後方向に移動（スライド）する略矩形状の板状の部材である。図５（ｂ）から分かるように、押出引込部材６１の幅方向両側には、外側に向かって突出したスライド突起６１１が形成されている。このスライド突起６１１が清掃空間４２を構成する幅方向両側面に形成された第二のガイドレール４２１に係合されている。つまり、押出引込部材６１は、第二のガイドレール４２１に案内されて前後方向に移動する。また、押出引込部材６１の周囲には、シール部６１２が形成されている。シール部６１２は例えばゴムなどの弾性部材で形成されている。清掃空間４２内に設けられた押出引込部材６１は、このシール部６１２が弾性変形した状態で清掃空間４２に面する内壁と密着する。これにより、第一実施形態と同様に、清掃空間４２は、押出引込部材６１よりも前側の空間（連通孔が繋がっている空間）と押出引込部材６１よりも後側の空間とに分割されている。つまり、押出引込部材６１が前方に移動すれば前側の空間が小さくなり、その小さくなった分後側の空間が大きくなる。一方、押出引込部材６１が後方に移動すれば前側の空間が大きくなり、その大きくなった分後側の空間が小さくなる。なお、この前側の空間と後側の空間は、押出引込部材６１（シール部６１２）によって完全に遮られている（一方の空間の空気が他方の空間に流れ込まない状態）とよい。少なくとも、押出引込部材６１が移動したときに小さくなる空間の圧力が一時的にある程度高まるように（空気が連通孔へ押し出されるように）両空間が押出引込部材６１によって遮られている必要がある。
【００３４】
以上の構成を備える本実施形態にかかる収納ボックス２の作用は次の通りである。収納空間４１の入口４１１を開放する方向（蓋部５０の先端が後方に移動する方向）に蓋部５０を移動させると、図５に示すように、その蓋部５０と一体的に構成されている押出引込部材６１は、第一の連通孔４３１に近づく方向（前方）かつ第二の連通孔４３２から離れる方向（後方）に移動する。つまり、押出引込部材６１は、清掃空間４２の前側の空間を小さくするとともに清掃空間４２の後側の空間を大きくする方向に移動する。そうすると、清掃空間４２の前側の空間内の圧力が一時的に高まり、前側の空間内の空気は第一の連通孔４３１に押し出される。清掃空間４２は、第一の連通孔４３１を介して収納空間４１と繋がっているため、この押し出された空気は収納空間４１の前方に形成された第一の通気口４１３から噴出する（図５（ｂ）参照）。この噴出した空気により、収納空間４１内に溜まっていた埃などが吹き飛ばされる。これと同時に、清掃空間４２の後側の空間の圧力が一時的に低下し（負圧となり）、吹き飛ばされた埃が第二の通気口４１４から清掃空間４２内に引き込まれる（図５（ｂ）参照）。このように、本実施形態にかかる収納ボックス２は、収納空間４１から噴出する空気によって収納空間４１の埃を吹き飛ばし、かつそれと同時に吹き飛ばされた埃を清掃空間４２内に引き込む構成を備える。
【００３５】
なお、本体部４０には、清掃空間４２内に引き込まれた埃を除去するための構成が設けられていることが好ましい。例えば、本体部４０の底面や側面に開閉自在の扉を設けておけばよい。ただし、この扉は、閉状態において清掃空間４２を密閉する必要があるため、扉の周囲にはゴムなどの弾性部材などで形成されたシール部６１２を形成する必要がある。
【００３６】
このように、本実施形態にかかる収納ボックス２によれば、収納空間４１の入口４１１を開放する方向に蓋部５０が操作されると、通気口より噴出する空気（風圧）によって収納空間４１内の埃などが吹き飛ばされると同時にその埃が清掃空間４２内に引き込まれるため、収納空間４１の隅々まで清掃される。そして、収納空間４１の入口４１１を開放する方向に蓋部５０が操作される度にこのような収納空間４１の清掃が行われる構成であるため、収納空間４１内を清潔に保つことができる。なお、本実施形態にかかる収納ボックス２は、吹き飛ばされた埃が吹き飛ばされると同時に清掃空間４２内に引き込まれる構造を備えているため、清掃能力は第一実施形態にかかる収納ボックス１よりも優れる。ただし、第一の実施形態にかかる収納ボックス１の方が構造が簡単である（製造コストが低廉である）という利点がある。
【００３７】
なお、この第二の実施形態にかかる収納ボックス２においても、第一の実施形態にかかる収納ボックス１と同様に、収納空間４１の底面に傾斜をつけるなどして、より埃が吹き飛ばされやすく、かつ、引き込まれやすい構成としてもよい。
【００３８】
次に、第三の実施形態にかかる収納ボックス３について説明する。第三の実施形態にかかる収納ボックス３も、第一の実施形態にかかる収納ボックス１および第二の実施形態にかかる収納ボックス２と同様に、物品が収納される収納空間７１が形成された本体部７０と、この本体部７０に取り付けられた蓋部８０と、本体部７０に形成された収納空間７１を清掃する清掃手段９０と、を備える。
【００３９】
本体部７０は、アームレストとしての肘掛け機能を発揮する部分である。この本体部７０には、所定の大きさの収納空間７１が形成されている。この収納空間７１は、上方に向かって開口している。つまり、この開口が、物品を出し入れする際の入口７１１（出し入れ口）となる。収納空間７１を構成する幅方向両側面（内壁面）には、蓋部８０を案内するガイドレール７１２が形成されている。本実施形態では、ガイドレール７１２は、幅方向外側に向かって窪んだ前後方向に延びる溝である。収納空間７１の後方には、下方に向かって窪んだダスト空間７２が形成されている。
【００４０】
蓋部８０は、収納空間７１の入口７１１を開閉する部材である。本実施形態では、蓋部８０には、その内側に一定間隔で幅方向に延びる切れ込みが形成されている。この切れ込みにより蓋部８０は容易に屈曲変形する。この蓋部８０の一部は、その幅方向両側部分が本体部７０に形成されたガイドレール７１２に係合されている。蓋部８０におけるガイドレール７１２に係合された部分は、ガイドレール７１２に案内されて前後方向にスライド自在である。なお、蓋部８０の先端側の外側には、蓋部８０をスライドさせるための持ち手８１が形成されている。さらに、この蓋部８０の先端側には、清掃手段９０を構成する刷毛部材９１（詳細は後述）が設けられている。すなわち、蓋部８０と刷毛部材９１は一体的に動作する。
【００４１】
清掃手段９０は、蓋部８０と一体的に動作する刷毛部材９１を有する。刷毛部材９１の基端側は蓋部８０の内側に回動自在に接続されている。具体的には、刷毛部材９１が蓋部８０に対して略直交した下向きの状態から、蓋部８０の内側の面と接触する水平な状態まで回動自在である。刷毛部材９１は、図示されないロック機構により、その下向きの状態あるいは水平な状態を保持することが可能である。下向きの状態にある刷毛部材９１は、その先端の刷毛部９１１が収納空間７１を構成する底面７１３に接触する。
【００４２】
以上の構成を備える本実施形態にかかる収納ボックス３の作用は次の通りである。収納空間７１の入口７１１を開放する方向（蓋部８０が後方に移動する方向）に蓋部８０を移動させると、刷毛部材９１は後方に移動する。このとき、刷毛部材９１が下向きの状態であれば、刷毛部材９１の刷毛部９１１が収納空間７１を構成する底面７１３上を摺り動く。すなわち、当該底面７１３上に溜まっていた埃などが、収納空間７１の後方に形成されたダスト空間７２に向かって掃き出される。このようにして、収納空間７１に溜まっていた埃などが除去される。なお、ダスト空間７２を囲む部分（図７において７２１で示す）は本体部７０に対して着脱自在に構成するとよい。つまり、ダスト空間７２に溜まった埃などをまとめて捨てることができる構成とすればよい。また、ダスト空間７２の開口（収納空間７１との境界）には、収納空間７１に収納された物品がダスト空間７２に落下しないようなバリア部材（例えば網目状の部材）が設けられているとよい。
【００４３】
収納空間７１に物品などが収納されている場合には、刷毛部材９１を水平状態にして（蓋部８０の裏に形成された凹部に収納して）蓋部８０を操作する。このようにすれば、収納された物品に刷毛部材９１が接触しない。つまり、収納空間７１を清掃する際には、収納空間７１に物品が収納されていない状態とする。
【００４４】
また、本実施形態にかかる収納ボックス３は、通常時（清掃機能を発揮させない時）に刷毛部材９１を水平状態としておけば（蓋部８０の裏に形成された凹部に収納しておけば）、刷毛部材９１によって収納空間７１の大きさが小さくならないという利点もある。
【００４５】
このように、本実施形態にかかる収納ボックス３によれば、収納空間７１の入口７１１を開放する方向に蓋部８０が操作されると、収納空間７１を構成する底面７１３が刷毛部材９１（清掃手段９０）によって清掃される。なお、刷毛部材９１の刷毛部９１１を幅方向に突出するように形成し、収納空間７１を構成する側面が清掃される構成としてもよい。また、刷毛部９１１を下方向および幅方向の両方に突出するように形成し、収納空間７１を構成する側面および底面が一度に清掃される構成としてもよい。
【００４６】
以上、本発明の実施形態について詳細に説明したが、本発明は上記実施形態に何ら限定されるものではなく、本発明の要旨を逸脱しない範囲で種々の改変が可能である。
【００４７】
例えば、上記各実施形態にかかる収納ボックス１，２，３は、車両用シートのアームレストに設けられているものであることを説明したが、これに限られるものではない。車両内のその他の位置に設けられる収納ボックスに適用してもよいし、車両内ではない場所に設けられる収納ボックスに適用してもよい。すなわち、車両内などに設けられる収納ボックスのように、収納空間が小さく清掃が面倒であるものであれば、上記本発明を適用する意義が大きいというだけであり、収納ボックスの設置場所が特定の場所に限定されるものではない。また、上記第一の実施形態〜第三の実施形態かかる収納ボックス１，２，３のうち、二以上の収納ボックスの特徴部分を組み合わせた構成とすることもできる。
【符号の説明】
【００４８】
１    収納ボックス（第一の実施形態）
１０    本体部
１１    収納空間
１１１  入口
１２    清掃空間
１３    連通孔
２０    蓋部
３０    清掃手段
３１    押出部材
２    収納ボックス（第二の実施形態）
４０    本体部
４１    収納空間
４１１  入口
４２    清掃空間
４３１  第一の連通孔
４３２  第二の連通孔
５０    蓋部
６０    清掃手段
６１    押出引込部材
３    収納ボックス（第三の実施形態）
７０    本体部
７１    収納空間
７１１  入口
８０    蓋部
９０    清掃手段
９１    刷毛部材
【図１】
2012240450.tif 000003
【図２】
2012240450.tif 000004
【図３】
2012240450.tif 000005
【図４】
2012240450.tif 000006
【図５】
2012240450.tif 000007
【図６】
2012240450.tif 000008
【図７】
2012240450.tif 000009